(57)【要約】【課題】遊技媒体受皿に異物が残留するのを防止することができ、遊技者に不快感を与えるのを防止することができる遊技機を提供すること。【解決手段】パチスロ機１のキャビネット２の下方に設けられ、遊技結果に応じてメダル３７を払出すメダル払出口１５と、メダル払出口１５から払出されたメダル３７を収容するメダル受皿３１とを備え、メダル受皿３１は、メダル３７を載せる底板３２を有し、この底板３２には煙草の灰やゴミ等の異物を落下させるための複数の貫通孔３６が格子状に形成される。また、メダル３７は円板状に形成されており、複数の貫通孔３６の最大内径をメダル３７の直径未満の大きさに形成することにより、メダル３７が落下するのを防止する。【選択図】図２
2007252768.tif 000002
【特許請求の範囲】
【請求項１】
筐体に設けられ、遊技結果に応じて遊技媒体を払出す遊技媒体払出口と、
前記遊技媒体払出口から払出された遊技媒体を収容する遊技媒体受皿とを備え、
前記遊技媒体受皿は、前記遊技媒体を載せる底部を有し、前記底部に複数の貫通孔が形成されることを特徴とする遊技機。
【請求項２】
前記遊技媒体は、球状または円板状に形成されており、
前記貫通孔の前記底部と平行な面における最大長さは、前記遊技媒体の直径未満に形成されることを特徴とする請求項１に記載の遊技機。
【請求項３】
前記遊技媒体受皿は、前記底部を有し、遊技媒体を収容する遊技媒体収容部と、前記筐体に取付けられ、前記遊技媒体収容部を着脱自在に支持する支持部とを備えたことを特徴とする請求項１または請求項２に記載の遊技機。
【請求項４】
前記遊技媒体収容部は、前記底部と、前記底部の外周部を取り囲む側壁とを有し、
前記筐体と対向する部分の側壁は、前記遊技媒体収容部の上下方向に移動する遊技媒体受け部を有することを特徴とする請求項３に記載の遊技機。
【請求項５】
前記底部の一部を、前記底部に対して着脱自在にしたことを特徴とする請求項１〜請求項４の何れか１項に記載の遊技機。
【発明の詳細な説明】
【技術分野】
【０００１】
本発明は、パチスロ機等の遊技機に関し、例えば、遊技結果に応じて遊技媒体払出口から払出された遊技媒体を収容する遊技媒体受皿を備えた遊技機に関する。
【背景技術】
【０００２】
一般に、パチスロ機等の遊技機は、正面の表示窓内に複数の図柄を変動表示する回転リールを複数配列して構成した機械的変動表示装置、あるいはリール上の図柄を画面に表示する電気的変動表示装置を備えている。
【０００３】
そして、遊技者のスタート操作に応じて、制御手段が変動表示装置を駆動制御して各リールを回転させることにより、図柄を変動表示させ、一定時間後自動的にあるいは遊技者の停止操作により、各リールの回転を順次停止させるようになっている。
このとき、表示窓内に現れた各リールの図柄が特定の組合せ（入賞図柄）になった場合にメダル、またはコイン等の遊技媒体を払出すことで遊技者に利益を付与する。
【０００４】
このような従来の遊技機では、各リールの図柄が特定の組合せ（入賞図柄）になりメダル、またはコイン等の遊技媒体を遊技者に対して払出す場合、あるいは遊技媒体を遊技者に対して返却する場合には、遊技機の前面下部に形成された遊技媒体払出口を介して、遊技媒体払出口の下方に位置する受皿に遊技媒体を払出し、あるいは返却していた（例えば、特許文献１参照）。
【特許文献１】特開２００５−２６１４７２号公報
【発明の開示】
【発明が解決しようとする課題】
【０００５】
しかしながら、このような従来の遊技機にあっては、受皿に貯まった異物を除去する手段がなかったので、遊技媒体を介して遊技者の手を汚してしまうことがあった。
具体的には、一般的な受皿は、底板と底板の周囲を囲む側壁とから構成されているため、遊技中に煙草の灰や何らかのゴミ（お菓子の一部や遊技店に浮遊するゴミ等）等の異物が受皿の底板に落下した場合に、この異物がそのまま底板に残留した状態となる。
このように底板に残留した異物は遊技媒体に付着してしまい、遊技者がその遊技媒体を把持すると、遊技者の手を汚してしまい、遊技者に不快感を与えてしまうことになる。
【０００６】
本発明は、従来の問題を解決するためになされたもので、遊技媒体受皿に異物が残留するのを防止することができ、遊技者に不快感を与えるのを防止することができる遊技機を提供することを目的とする。
【課題を解決するための手段】
【０００７】
本発明の遊技機は、筐体（例えば、キャビネット２等）に設けられ、遊技結果に応じて遊技媒体（例えば、メダル３７等）を払出す遊技媒体払出口（例えば、メダル払出口１５等）と、前記遊技媒体払出口から払出された遊技媒体を収容する遊技媒体受皿（例えば、メダル受皿３１等）とを備え、前記遊技媒体受皿は、前記遊技媒体を載せる底部（例えば、底板３２等）を有し、前記底部に複数の貫通孔（例えば、貫通孔３６等）が形成されるものから構成されている。
【０００８】
この構成により、遊技媒体受皿の底部に形成された貫通孔から煙草の灰やゴミ等の異物を落下させることができるので、異物が遊技媒体受皿内に残留するのを防止することができる。このため、遊技媒体受皿内の遊技媒体が異物によって汚れてしまうのを防止して、遊技媒体を介して遊技者の手を汚してしまうのを防止することができ、遊技者に不快感を与えるのを防止することができる。
【０００９】
また、本発明の遊技機の前記遊技媒体は、球状または円板状に形成されており、前記貫通孔の前記底部と平行な面における最大長さは、前記遊技媒体の直径未満に形成されるものから構成されている。
【００１０】
この構成により、遊技媒体の一部を貫通孔を介して遊技媒体受皿の底部から突出させることができ、遊技媒体受皿の下部のスペースにより多くの遊技媒体を収納することができる。この結果、遊技媒体受皿の全体でより多くの遊技媒体を収納することができる。
【００１１】
また、本発明の遊技機の前記遊技媒体受皿は、前記底部を有し、遊技媒体を収容する遊技媒体収容部（例えば、メダル受皿４４、７２等）と、前記筐体に取付けられ、前記遊技媒体収容部を着脱自在に支持する支持部（例えば、支持部材４１、７１等）とを備えたものから構成されている。
【００１２】
この構成により、遊技媒体受皿からドル箱と呼ばれるコイン箱に遊技媒体を移動させる際に、遊技媒体収納部を支持部から取り外した後、遊技媒体収納部の上下の向きを変えることにより、遊技媒体収納部に収納された遊技媒体をまとめてコイン箱に収納することができる。
したがって、遊技媒体をコイン箱に移動させる際の手間を軽減することができるとともに、遊技媒体が床に落下する事態が発生する可能性を少なくすることができる。
【００１３】
また、本発明の遊技機の前記遊技媒体収容部は、前記底部（例えば、底板４５、７３等）と、前記底部の外周部を取り囲む側壁（例えば、側壁４６ａ〜４６ｄ、７４ａ〜７４ｄ等）とを有し、前記筐体と対向する部分の側壁は、前記遊技媒体収容部の上下方向に移動する遊技媒体受け部（例えば、プレート５２、６３等）を有するものから構成されている。
【００１４】
この構成により、遊技媒体受皿の上部付近に遊技媒体が貯まった場合に、遊技媒体払出口から遊技媒体が払出されても遊技媒体受け部で遊技媒体を受け止めることができるので、遊技媒体が遊技媒体受皿から遊技者側に落下するのを防止することができる。
【００１５】
また、遊技媒体受皿内に払出される遊技媒体が少ない場合には、遊技媒体受け部を下方に移動させることにより、側壁からの遊技媒体受け部の突出量を少なくすることができ、遊技者の遊技に差し支えるのを防止することができる。
【００１６】
また、本発明の遊技機は、前記底部の一部（例えば、棒状部材７６ａ等）を、前記底部に対して着脱自在にしたものから構成されている。
この構成により、遊技媒体受皿の下方にコイン箱を設置して、底部の一部を底部から取り外すことにより、遊技媒体受皿からコイン箱に遊技媒体を落下させて移動させることができる。このため、遊技媒体をコイン箱に移動させる際の手間を軽減することができるとともに、遊技媒体が床に落下する事態が発生する可能性を少なくすることができる。
【発明の効果】
【００１７】
本発明は、遊技媒体受皿に異物が残留するのを防止することができ、遊技者に不快感を与えるのを防止することができる遊技機を提供することができる。
【発明を実施するための最良の形態】
【００１８】
以下、本発明の実施の形態について、図面を用いて詳細に説明する。
図１〜図６は本発明に係る遊技機の第１の実施の形態を示す図である。なお、本発明に係る遊技機は、例えば、パチスロ遊技機、パチンコ遊技機、その他遊技に伴って遊技機から払出される遊技媒体を受け入れる遊技媒体受皿を備える遊技機に適用されるもであり、本実施の形態では、遊技機をパチスロ機に適用したものである。
【００１９】
まず、構成を説明する。図１は遊技機としてのパチスロ機１の全体構成図である。なお、本実施の形態のパチスロ機１はコイン、メダル、遊技球またはトークン等の遊技媒体を用いて遊技する遊技機であるが、以下では、遊技媒体としての円板状のメダルを用いるものとして説明する。なお、遊技機がパチンコ遊技機の場合には遊技媒体として球状の遊技球が用いられる。
【００２０】
図１において、パチスロ機１の全体を形成している筐体としてのキャビネット２の正面には、略垂直面としてのパネル表示部５ａが形成され、その中央には縦長矩形のリール表示窓４Ｌ、４Ｃ、４Ｒが横方向に順番に設けられている。キャビネット２の内部には、各々の外周面に複数種類の図柄、例えば図示しない"赤７図柄"、"青７図柄"、"ＢＡＲ図柄"、"ベル図柄"、"プラム図柄"、"Ｒｅｐｌａｙ図柄"および"チェリー図柄"の図柄によって構成される図柄列が描かれた３個の左リール３Ｌ、中リール３Ｃ、右リール３Ｒが回転自在に横一列に設けられている。
【００２１】
各リールの図柄はリール表示窓４Ｌ、４Ｃ、４Ｒを通して遊技者に観察させることができる。各リールは、定速回転として例えば、毎分８０回転で回転するように構成するとよい。
パネル表示部５ａの背面には、上述した各リールの全面を覆いパネル表示部５ａと略同程度の大きさで、大画面（例えば、１５インチ若しくは２０インチ形式）による演出表示等を行う液晶表示装置５が配設されている。さらに、パネル表示部５ａの左側には、パネル表示部５ｂが設けられており、このパネル表示部５ｂには、遊技者による遊技の際に種々の情報を表示する各種表示部が設けられている。
【００２２】
リール表示窓４Ｌ、４Ｃ、４Ｒの下方には水平面の台座部１０が形成されており、台座部１０には遊技に関連する情報（例えば、入賞態様、リプレイ確率、内部当籤告知のリール停止態様等）を印刷して表示することもできる。
【００２３】
台座部１０の右端部側には、遊技者がメダルをパチスロ機１内に投入するための遊技媒体投入口としてのメダル投入口２２が設けられており、台座部１０の左端部側には最大ＢＥＴボタン１３が設けられている。
【００２４】
この最大ＢＥＴボタン１３が、１回のゲームに賭けることが可能な最大枚数のメダルが賭けられるように構成されている。最大ＢＥＴボタン１３の左側、パネル表示部５ｂの下方には、１−ＢＥＴボタン１１、２−ＢＥＴボタン１２がそれぞれ配設されている。１−ＢＥＴボタン１１の１回の押下操作により、クレジットされているメダルのうちの１枚がゲームに賭けられ、２−ＢＥＴボタン１２の１回の押下操作により、クレジットされているメダルのうちの２枚がゲームに賭けられ、これらのＢＥＴボタンを操作することで、次に説明する１つまたは複数の入賞ラインが有効化されるように構成されている。
【００２５】
リール表示窓４Ｌ、４Ｃ、４Ｒには、入賞ラインとして水平方向にトップライン、センターラインおよびボトムライン、斜め方向にクロスダウンラインおよびクロスアップラインが設けられている。これらの入賞ラインは、１−ＢＥＴボタン１１と、２−ＢＥＴボタン１２と、操作性の高い大きな最大ＢＥＴボタン１３のいずれかを押下操作すること、あるいは、メダル投入口２２にメダルを投入することにより、入賞ラインが、メダルを１枚ベットするならば１本、メダルを２枚ベットするならば３本、メダルを３枚ベットするならば５本有効化される。ここで、各入賞ラインは、役の入賞確率の増減に関してその成否を左右するように構成されている。
【００２６】
すなわち、所定の役（例えば、「ＢＢ」）に対応する一の図柄（例えば、"赤７図柄"）が有効化された入賞ラインに揃うことにより、例えば、ＢＥＴ数が"３"であればトップライン、センターライン、ボトムライン、クロスダウンライン、およびクロスアップラインの中の何れか１つの入賞ラインに揃う（並んで停止表示される）ことにより、"ＢＢ"の入賞が成立することとなる。本実施の形態では、１つのゲーム（例えば、単位遊技）は、全てのリールが停止したときに終了する。
【００２７】
ここで、ＢＢ、ＲＢとは以下のようなものである。現在主流の機種は、複数種類の入賞態様を有する。特に、ある役の入賞が成立したときは、１回のメダルの払出しに終わらず、所定時間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」  と略記する。
【００２８】
また、現在主流の機種においては、有効化された入賞ライン（以下「有効ライン」という）に沿って所定の図柄の組合せが並び、メダル、コイン等が払出される入賞が成立するためには、内部的な抽籤処理により役に当籤（以下「内部当籤」という）し、かつその内部当籤した役（以下「内部当籤役」という）の入賞成立を示す図柄組合せを有効ラインに停止できるタイミングで遊技者が停止操作を行うことが要求される。
【００２９】
すなわち、いくら内部当籤したとしても、遊技者の停止操作のタイミングが悪いと内部当籤役の入賞を成立させることができないので、停止操作をタイミングよく行う技術が要求される（「目押し」といわれる技術介入性の比重が高い）。
【００３０】
台座部１０の前面部の右端部には、遊技者がゲームで獲得したメダルのクレジット／払出しを押しボタン操作で切り換えるＣ／Ｐスイッチ１４が設けられている。このＣ／Ｐスイッチ１４の切り換えにより、正面に配設されている表面に情報が描かれた化粧用パネル２４の下方に形成された遊技結果に応じてメダルを払出す遊技媒体払出口としてのメダル払出口１５からメダルが払出されるように構成されている。
ここで、遊技結果とは、不図示の主制御回路等の制御によって、役に内部当籤し、かつその内部当籤役の入賞成立を示す図柄組合せを有効ラインに停止できるタイミングで遊技者が各リール３Ｌ、３Ｃ、３Ｒを停止させた結果のことをいい、典型的には、ハズレを含む小役入賞やＢＢ、ＲＢ入賞等の役がある。
【００３１】
また、台座部１０の前面部の左端部には、遊技者の操作により上記全リールを例えば下方向に図柄が流れるように回転させ、リール表示窓４Ｌ、４Ｃ、４Ｒ内での図柄の変動表示を開始させるスタートレバー６が所定の角度範囲で回動自在に取り付けられている。すなわち、スタートレバー６は、１回の操作により、自立的にニュートラルポジション（例えば、図示したように遊技者に対向して直立状態）に復帰する。
【００３２】
また、台座部１０の前面部の略中央、すなわち、Ｃ／Ｐスイッチ１４とスタートレバー６との間には、遊技者が手で操作し易い位置に、合計３個の左リール３Ｌ、中リール３Ｃ、右リール３Ｒの回転を任意に停止させる合計３個のリール停止ボタン７Ｌ、リール停止ボタン７Ｃ、およびリール停止ボタン７Ｒが設けられている。遊技者による各リール停止ボタン７Ｌ、７Ｃ、７Ｒの停止操作等により、所定の遊技結果、例えば小役入賞やＢＢ、ＲＢ入賞等が得られると、該遊技結果に応じて所定枚数のメダルが、メダル払出口１５から払出されるように構成されている。
パチスロ機１の全体を形成しているキャビネット２は、ケーシング２ａと、ケーシング２ａに対してヒンジ（不図示）等により開閉自在に取り付けられ、キャビネット２の前面を形成する前面扉２ｂとを含んで構成されている。ケーシング２ａは、略直方体で１つの面に開口が形成されており、前面扉２ｂの開閉により該開口を開放または閉鎖状態とすることが可能なように構成されている。また、前面扉２ｂもケーシング２ａと同様に略直方体で１つの面に開口が形成されている。
【００３３】
前面扉２ｂのパチスロ機１に向かって手前側の面、すなわち、遊技者が遊技を行う際に対向する面は、上述した各種ボタンやパネル表示部５ａ、スタートレバー６、各リール停止ボタン７Ｌ、７Ｃ、７Ｒ、後述する遊技媒体受皿としてのメダル受皿３１等が配された遊技盤面を構成している。
【００３４】
なお、以下の説明では、特に断りのない限り、前面扉２ｂの「遊技盤面」側の面を単に「前面」という。また、以下の説明では、特に断りのない限り、ケーシング２ａの「遊技盤面」と対向する側の面を単に「背面」という。
【００３５】
ケーシング２ａと前面扉２ｂとは、閉鎖状態で、ケーシング２ａと前面扉２ｂの開口が互いに対面するように取り付けられることで、キャビネット２内部に、各リール３Ｌ、３Ｃ、３Ｒ、遊技結果に基づいてメダルを一枚ずつパチスロ機１の外部に繰り出すメダル払出装置（不図示）、パチスロ機１で行われる遊技やパチスロ機１の各部を制御する主制御回路（不図示）、その他パチスロ機１に組み付けられる各種の部品を収納するように構成されている。
【００３６】
さらに、パチスロ機１には、前面扉２ｂの前面側、メダル払出口１５の下方に、パチスロ機１のメダル払出口１５から払出されるメダルを受け入れ、貯留する遊技媒体受皿としてのメダル受皿３１が取り付けられている。メダル受皿３１は、図２、図３に示すように、底部としての底板３２および側壁３３を有しており、前面扉２ｂの背面側からビス（不図示）等の固定手段によってパチスロ機１に着脱可能に取り付けられている。
図２、図３はメダル受皿３１の外観を示す斜視図であり、図２は前面側から見た部分斜視図、図３は背面側から見た部分斜視図である。メダル受皿３１は、図２、図３に示すように、メダルを載せる底板３２と、この底板３２の周囲を取り囲み、底板３２と共にメダルを収容する側壁３３とを備えている。
【００３７】
また、側壁３３の内周面には溝部３３ａが形成されており、この溝部３３ａに底板３２を嵌合させることにより、底板３２が側壁３３に取付けられるようになっている。また、側壁３３は、遊技盤面に向かって左側の側壁である左側壁３３ｂ、右側の側壁である右側壁３３ｃ、左側壁３３ｂと右側壁３３ｃとの間の遊技盤面に向かって手前側に形成される側壁である中側壁３３ｄとを含んで、全体として略コの字型に形成されている。すなわち、側壁３３は、背面側を除く三方から底板３２を囲むように形成されている。したがって、溝３３ａは左側壁３３ｂ、中側壁３３ｄ、右側壁３３ｃに亘って延在している。
【００３８】
なお、本実施の形態では、左側壁３３ｂのさらに左側には、灰皿３４（図１参照）を取り付けるための取付部３５が、遊技盤面に向かって手前側を開口とする略コの字型に形成されている。
【００３９】
底板３２には複数の貫通孔３６が形成されており、この貫通孔３６は略四角形状に形成されている。また、図４に示すように、この貫通孔３６の底板３２と平行な面における最大長さ（以下、単に最大内径という）Ａは、メダル３７の直径Ｄ未満の大きさに形成されている。
すなわち、本実施の形態の底板３２は、ワイヤ等の棒状部材を交互に重ね合わせて格子状にすることにより、四角形状の複数の貫通孔３６を形成するようになっており、貫通孔３６の最大内径をメダル３７の直径未満の大きさに形成したので、底板３２上に載置されるメダル３７が貫通孔３６を通して落下するのを防止することができる。
【００４０】
次に、メダル受皿３１の機能について説明する。
遊技者に対してメダル３７を払出す場合、あるいは遊技媒体を遊技者に対して返却する場合には、メダル３７がメダル払出口１５から払出され、このメダル３７はメダル受皿３１の底板３２上に載置される。
【００４１】
また、払出枚数が増加するにつれて、メダル３７が積み重ねられて行くが、このメダル３７は底板３２と側壁３３によって囲まれる空間に収納されるため、メダル受皿３１から落下することがない。
【００４２】
一方、遊技中に煙草の灰や何らかのゴミ（お菓子の一部や遊技店に浮遊するゴミ等）等の異物が底板３２に落下した場合に、この異物は貫通孔３６から落下するため、底板３２上に残留することがない。
【００４３】
このように本実施の形態では、メダル受皿３１の底板３２に複数の貫通孔３６を形成したので、この貫通孔３６から煙草の灰やゴミ等の異物を落下させることができ、異物が底板３２に残留するのを防止することができる。このため、メダル受皿３１内のメダル３７が異物によって汚れてしまうのを防止して、メダル３７を介して遊技者の手を汚してしまうのを防止することができ、遊技者に不快感を与えるのを防止することができる。
【００４４】
また、本実施の形態では、貫通孔３６の最大内径を円板状のメダル３７の直径未満の大きさに形成したので、図４に示すように、底板３２側に位置するメダル３７を貫通孔３６を介して底板３２から突出させることができ、メダル受皿３１の下部のスペースにより多くのメダル３７を収納することができる。この結果、メダル受皿３１の全体でより多くのメダル３７を収納することができる。
【００４５】
なお、本実施の形態では、棒状部材を遊技盤面に対して横方向と縦方向に直交させて格子状にすることにより、貫通孔３６を形成しているが、図５に示すように、棒状部材を遊技盤面に対して斜め方向に直交するようにして貫通孔３８を形成しても良い。
【００４６】
また、棒状部材に代えて、図６に示すように板状の底板３２に複数の円状の貫通孔３９を形成するようにしても良い。この場合には、貫通孔３９の形状は多角形状であっても良い。何れにしても貫通孔３８、３９の最大内径はメダル３７の直径未満にすれば良い。
【００４７】
また、貫通孔３６、３８、３９の最大内径はメダル３７の直径未満であれば良いが、灰やゴミ等の異物を確実に落下させる程度の大きさにする必要があるため、その点を十分にこのように満たす内径にすることが必要であることは言うまでもない。
【００４８】
図７は本発明に係る遊技機の第２の実施の形態を示す図であり、第１の実施の形態とメダル受皿の構成が異なるのみである。
図７において、キャビネット２側にビス等によって固定される支持部としての支持部材４１は、遊技盤面に向かって右側の側壁に位置する右側壁４１ａと、遊技盤面に向かって左側に位置する左側壁４１ｃと、右側壁４１ａおよび左側壁４１ｂｃ連結する連結部材４１ｂと、左側壁４１ｃから右側に延在し、灰皿３４を取り付けるための取付部４１ｄが一体的に設けられている。なお、図７はキャビネット２側に支持部材４１を見た状態を示す図であり、遊技者側から支持部材４１を見た場合には左右逆になる。図７の説明に際しては、遊技者側から遊技盤面を見たときの支持部材４１の右側壁４１ｂ等の位置関係を説明しているものである。
【００４９】
この支持部材４１にメダル受皿（遊技媒体収容部）４４が着脱自在に取付けられるようになっており、このメダル受皿４４は、メダル３７が載置される底部としての底板４５と、底板４５を取り囲むようにして底板４５から上方に延在する側壁４６ａ〜４６ｄとを備えている。
【００５０】
また、底板４５と側壁４６ａ、４６ｂ、４６ｃには貫通孔４７が形成されており、この貫通孔４７は略四角形状に形成され、その最大内径は図４に示すものと同様にメダル３７の直径未満の大きさに形成されている。
【００５１】
本実施の形態の底板４５および側壁４６ａ、４６ｂ、４６ｃは、棒状部材を交互に重ね合わせる格子状にすることにより、四角形状の複数の貫通孔４７を形成しており、貫通孔４７の最大内径をメダル３７の直径未満の大きさに形成したので、底板４５の上面に載置されるメダル３７が貫通孔４７を通して落下するのを防止することができる。
【００５２】
一方、右側壁４１ａおよび左側壁４１ｃには上下方向に亘って延在する一対の溝４２、４３が形成されている。また、底板４５の両端部には一対の係合突起４８、４９がそれぞれ形成されており、この係合突起４８、４９は溝４２、４３に沿って上下方向に摺動可能になっている。
【００５３】
したがって、係合突起４８、４９を溝４２、４３に沿って下方に移動させ、係合突起４８、４９を溝４２、４３の下端に衝止させることにより、メダル受皿４４を支持部材４１に装着することができる。
【００５４】
このような構成を有する本実施の形態では、遊技者に対してメダル３７を払出す場合、あるいは遊技媒体を遊技者に対して返却する場合には、メダル３７がメダル払出口１５から払出され、このメダル３７はメダル受皿３１の底板３２上に載置される。
【００５５】
また、払出枚数が増加するにつれて、メダル３７が積み重ねられて行くが、このメダル３７は底板４５と側壁４６ａ〜４６ｄによって囲まれる空間に収納されるため、メダル受皿４４から落下することがない。
【００５６】
一方、遊技中に煙草の灰や何らかのゴミ（お菓子の一部や遊技店に浮遊するゴミ等）等の異物が底板４５に落下した場合に、この異物は貫通孔４７から落下するため、底板４５上に残留することがない。
【００５７】
このように本実施の形態では、メダル受皿４４の底板４５および側壁４６ａ、４６ｂ、４６ｃに複数の貫通孔４７を形成したので、この貫通孔４７から煙草の灰やゴミ等の異物を落下させることができるので、異物が底板４５に残留するのを防止することができ、メダル受皿４４内のメダル３７が異物によって汚れてしまうのを防止して、メダル３７を介して遊技者の手を汚してしまうのを防止することができ、遊技者に不快感を与えるのを防止することができる。
【００５８】
また、メダル受皿４４からドル箱と呼ばれる図示しないコイン箱にメダル３７を移動させる際には、メダル受皿４４を把持して上方に移動させると、係合突起４８、４９が溝４２、４３に沿って上方に移動することにより、メダル受皿４４を支持部材４１から取り外すことができる。
【００５９】
この後、メダル受皿４４の上下の向きを変えることにより、メダル受皿４４に収納されたメダル３７をまとめてコイン箱に収納することができるので、メダル３７をコイン箱に移動させる際の手間を軽減することができるとともに、メダル３７がメダル受皿４４から落下する事態が発生する可能性を少なくすることができる。
【００６０】
図８、図９は本発明に係る遊技機の第３の実施の形態を示す図であり、第２の実施の形態と同様の構成には同一番号を付して説明を省略する。
図８、図９において、メダル受皿４４の側壁４６ｄの両側には上下方向に分割されたそれぞれ３つの溝５１ａ、５１ｂ、５１ｃが形成されており、この側壁４６ｄには遊技媒体受け部を構成するプレート５２を着脱自在になっている。
【００６１】
このプレート５２の両側には上下方向に分割されたそれぞれ３つの突起５２ａ、５２ｂ、５２ｃが形成されており、この突起５２ａ、５２ｂ、５２ｃは溝５１ａ、５１ｂ、５１ｃに嵌合するようになっている。したがって、突起５２ａ〜５２ｃを溝５１ａ〜５１ａに嵌合する位置を変更してプレート５２を側壁４６ｄに取付けることにより、プレート５２を側壁４６ａに対して上下方向に移動させることができる。
【００６２】
本実施の形態では、図９（ｂ）に示すように、真中に位置する溝５１ｂと上側の溝５１ａにプレート５２の下側の突起５２ｃと真中の突起５２ｂを係合させることにより、プレート５２を側壁４６ｄの上端から上方に突出させることにより、メダル受皿４４の上部付近にメダル３７が貯まった場合に、メダル払出口１５からメダル３７が払出されてもプレート５２でメダル３７を受け止めることができる。このため、メダル３７がメダル受皿４４から遊技者側に落下するのを防止することができる。
【００６３】
また、メダル受け皿４４に払出されるメダル３７が少ない場合には、プレート５２を側壁４６ｄの下方に移動させることにより、側壁４６ｄからのプレート５２の突出量を少なくすることができ、遊技者の遊技に差し支えるのを防止することができる。また、メダル３７をコイン箱に移動させる手順は第２の実施の形態と同様である。
【００６４】
図１０、図１１は本発明に係る遊技機の第４の実施の形態を示す図であり、第２の実施の形態と同様の構成には同一番号を付して説明を省略する。
図１１、図１２において、本実施の形態は、第３の実施形態の貫通孔が形成されていない側壁４６ｄに代えて、側壁６１を格子状にして貫通孔６２を形成し、この側壁６１に遊技媒体受け部を構成する格子状のプレート６３を着脱自在にしたものである。また、プレート６３には貫通孔６３ａが形成されており、この貫通孔６２、６３ａの最大内径はメダル３７の直径未満であることは言うまでもない。
【００６５】
また、側壁６１の両端部には内方に湾曲する湾曲部６１ａが形成されており、プレート６３は湾曲部６１ａに沿って上下方向に移動するようにして側壁６１に着脱自在となっている。
【００６６】
また、側壁６１にはＳ字状のフック６４が着脱自在となっており、このフック６４は側壁６１の棒状部材６５またはプレート６３の下端部に係合する係合部６４ａと、プレート６３の下端部または棒状部材６５に係合する係合部６４ｂとを備えている。
【００６７】
本実施の形態では、側壁６１の真中に位置する棒状部材６５にフック６４の係合部６４ａを引っ掛けた状態で湾曲部６１ａに沿ってプレート６３を側壁６１の下方に移動させ、フック６４の係合部６４ｂにプレート６３の下端部を引っ掛ける。
【００６８】
このようにして側壁６１からのプレート６３の突出量を調整する。このため、メダル受皿４４の上部付近にメダル３７が貯まった場合に、メダル払出口１５からメダル３７が払出されてもプレート６３でメダル３７を受け止めることができる。このため、メダル３７がメダル受皿４４から遊技者側に落下するのを防止することができる。
【００６９】
また、メダル受け皿４４に払出されるメダル３７が少ない場合には、側壁６１の一番下に位置する棒状部材６５にフック６４の係合部６４ａを引っ掛けた状態で湾曲部６１ａに沿ってプレート６３を側壁６１の下方に移動させ、フック６４の係合部６４ｂにプレート６３の下端部を引っ掛ける。このため、側壁６１からのプレート６３の突出量を少なくすることができ、遊技者の遊技に差し支えるのを防止することができる。また、メダル３７をコイン箱に移動させる手順は第２の実施の形態と同様である。
【００７０】
図１２、図１３は本発明に係る遊技機の第５の実施の形態を示す図であり、第１の実施の形態と同様の構成には同一番号を付して説明を省略する。
図１２、図１３においてキャビネット２側にビス等によって固定される支持部としての支持部材７１は、遊技盤面に向かって右側の側壁に位置する右側壁７１ａと、遊技盤面に向かって左側に位置する左側壁７１ｃと、右側壁７１ａおよび左側壁７１ｂを連結する棒状の連結部材７１ｂと、左側壁７１ｃから右側に延在し、灰皿３４を取り付けるための取付部７１ｄとが一体的に設けられている。
【００７１】
この支持部材７１にメダル受皿（遊技媒体収容部）７２が着脱自在に取付けられるようになっており、このメダル受皿７２は、メダル３７が載置される底部としての底板７３と、底板７３を取り囲むようにして底板７３から上方に延在する側壁７４ａ〜７４ｄとを備えている。
【００７２】
また、底板７３と側壁７４ａ、７４ｂ、７４ｃには貫通孔７５が形成されており、この貫通孔７５は略四角形状に形成され、その最大内径は図４に示すものと同様にメダル３７の直径未満の大きさに形成されている。
【００７３】
本実施の形態の底板７３および側壁７４ａ、７４ｂ、７４ｃは、棒状部材７６を交互に重ね合わせる格子状にすることにより、四角形状の複数の貫通孔７５を形成しており、貫通孔７５の最大内径をメダル３７の直径未満の大きさに形成したので、底板７３の上面に載置されるメダル３７が貫通孔７５を通して落下するのを防止することができる。
【００７４】
一方、右側壁７１ａおよび左側壁７１ｃには上下方向に亘って延在する一対の溝７７、７８が形成されている。また、底板の両端部には一対の係合突起７９、８０がそれぞれ形成されており、この係合突起７９、８０は溝７７、７８に沿って上下方向に摺動可能になっている。
【００７５】
したがって、係合突起７９、８０を溝７７、７８に沿って下方に移動させ、係合突起７９、８０を溝７７、７８の下端に衝止させることにより、メダル受皿７２を支持部材７１に装着することができる。
【００７６】
また、本実施の形態では、底板７３の一部は着脱自在になっている。具体的には、棒状部材７６の一部（図１３では７６ａで示す４本の棒状部材）は把手部材８１に取付けられている。また、底板７３には８本の筒状部材８２が４対設けられており、この筒状部材８２に棒状部材７６ａが挿通されるようになっている。
【００７７】
このような構成を有する本実施の形態では、遊技者に対してメダル３７を払出す場合、あるいは遊技媒体を遊技者に対して返却する場合には、メダル３７がメダル払出口１５から払出され、このメダル３７はメダル受皿７２の底板７３上に載置される。
【００７８】
一方、遊技中に煙草の灰や何らかのゴミ（お菓子の一部や遊技店に浮遊するゴミ等）等の異物が底板７３に落下した場合に、この異物は貫通孔７５から落下するため、底板７３上に残留することがない。このため、異物が底板７３に残留するのを防止することができ、メダル受皿４４内のメダル３７が異物によって汚れてしまうのを防止して、メダル３７を介して遊技者の手を汚してしまうのを防止することができ、遊技者に不快感を与えるのを防止することができる。
【００７９】
また、メダル受皿７２からドル箱と呼ばれる図示しないコイン箱にメダル３７を移動させる際には、把手部材８１を把持して棒状部材７６ａを筒状部材８２から引き抜くことにより、底板７３の中央部にメダル３７の落下口が形成される。したがって、この落下口からメダルをコイン箱に落下させることにより、メダル３７をコイン箱に移動させる際の手間を軽減することができるとともに、メダル３７がメダル受皿７２から落下する事態が発生する可能性を少なくすることができる。
【００８０】
なお、棒状部材７６ａを底板７３から取り外さずにメダル受皿７２を支持部材７１から取り外し、メダル受皿７２の上下の向きを変えることにより、メダル受皿７２に収納されたメダル３７をまとめてコイン箱に収納するようにしても良い。
【図面の簡単な説明】
【００８１】
【図１】本発明の実施の第１の実施の形態に係るパチスロ機の外観を示す斜視図
【図２】本発明の実施の第１の実施の形態に係るパチスロ機のメダル受皿を前面側から見た部分斜視図
【図３】本発明の実施の第１の実施の形態に係るパチスロ機のメダル受皿を背面側から見た部分斜視図
【図４】（ａ）は本発明の実施の第１の実施の形態に係るパチスロ機のメダルの下端を貫通孔から突出させた状態を示す図、（ｂ）は貫通孔を上面から見たときのメダルと貫通孔の大きさを示す図
【図５】本発明の実施の第１の実施の形態に係るパチスロ機の他の構成のメダル受皿を前面側から見た部分斜視図
【図６】本発明の実施の第１の実施の形態に係るパチスロ機の他の構成のメダル受皿を前面側から見た部分斜視図
【図７】本発明の実施の第２の実施の形態に係るパチスロ機のメダル受皿を背面側から見た部分斜視図
【図８】本発明の実施の第３の実施の形態に係るパチスロ機のメダル受皿を前面側から見た部分斜視図
【図９】（ａ）は本発明の実施の第３の実施の形態に係るパチスロ機のメダル受皿の側壁とプレートを示す図、（ｂ）は側壁とプレートの側面断面図
【図１０】本発明の実施の第４の実施の形態に係るパチスロ機のメダル受皿を背面側から見た部分斜視図
【図１１】（ａ）は本発明の実施の第４の実施の形態に係るパチスロ機のメダル受皿の側壁とプレートを示す図、（ｂ）は側壁とプレートの側面断面図
【図１２】本発明の実施の第５の実施の形態に係るパチスロ機のメダル受皿を前面側から見た部分斜視図
【図１３】（ａ）は本発明の実施の第５の実施の形態に係るパチスロ機のメダル受皿の底部の一部から棒状部材を取り外した状態を示す図、（ｂ）は筒状部材の構成図
【符号の説明】
【００８２】
１  パチスロ機（遊技機）
２  キャビネット（筐体）
１５  メダル払出口（遊技媒体払出口）
３１、７２  メダル受皿（遊技媒体受皿）
３２、４５、７３  底板（底部）
３３、４６ａ〜４６ｄ、６１、７４ａ〜７４ｄ  側壁
３７  メダル
３６、３８、３９、４７、６２、７５  貫通孔
４１、７１  支持部材（支持部）
４４  メダル受皿（遊技媒体収容部）
５２、６３  プレート（遊技媒体受け部）
７６ａ  棒状部材（底部の一部）
【図１】
2007252768.tif 000003
【図２】
2007252768.tif 000004
【図３】
2007252768.tif 000005
【図４】
2007252768.tif 000006
【図５】
2007252768.tif 000007
【図６】
2007252768.tif 000008
【図７】
2007252768.tif 000009
【図８】
2007252768.tif 000010
【図９】
2007252768.tif 000011
【図１０】
2007252768.tif 000012
【図１１】
2007252768.tif 000013
【図１２】
2007252768.tif 000014
【図１３】
2007252768.tif 000015